(57)【特許請求の範囲】
【請求項１】
先端に２つの噴射孔を設けたピストン状のノズル筒を、圧縮ばねにより後退させた状態でシリンダ内に収め、洗浄水の水圧によりノズル筒を使用位置に前進させるようにしたものであって、
固定シリンダ１に、第２圧縮ばね１８により後退付勢された可動シリンダ２を収め、該可動シリンダ２に、第１圧縮ばね１１により後退付勢されたノズル筒３を収めた構成を備えており、
ノズル筒３内の長手方向には、先端の第１噴射孔６及び第２噴射孔７に夫々連通する第１通水路４及び第２通水路５を設けると共に、外周面には、第１、第２通水路４，５に夫々導通する第１流入口９及び第２流入口１０を、筒軸方向に所定間隔を隔てて設け、第１、第２流入口９、１０に選択的に導通させる導水路を内周面に備えると共に、該導水路に連通する第２送水口２３を備えた給水用スリーブ２０を、ノズル筒３の外周面に水密に摺接させ得る状態で固設し、
固定シリンダ１には、ノズル筒３の前進用の第１送水口１２及び可動シリンダ２の前進用の第３送水口１９を設け、
第１噴射孔６からの噴射時には、第１、第２送水口１２、２３に与圧洗浄水を供給し、第２噴射口７からの噴射時には、第１〜第３送水口１２，２３及び１９に夫々与圧洗浄水を供給する流路切替弁１０２、及びその制御部を設けたことを特徴とする衛生洗浄装置。
【請求項２】
給水用スリーブ２０には、ノズル筒３の後退時に、第１、第２噴射孔６、７の上部を覆い得るカバー体２５を取着すると共に、可動シリンダ２に、ノズル筒３のクリーニング用の第４送水口１６を設け、
流路切替弁１０２は、ノズル筒３のクリーニング時に、第４送水口１６に供給した与圧洗浄水が、ノズル筒３の第１、第２流入口９、１０を経て、第１、第２噴射孔６，７から噴出するように構成したことを特徴とする請求項１記載の衛生洗浄装置。
【請求項３】
流路切替弁１０２は、弁座となる円筒状の摺接面３１ａをその内壁面に設けたケーシング３１と、モータ３５により回動される円筒状の弁体３２とを備え、
摺接面３１ａを設けた側の壁面には、第１、第２送水口１２、２３と、第３送水口１９と、第４送水口１６とに夫々接続される、第１出水口３３Ａと、第２出水口３３Ｂと、第３出水口３３Ｃとを、筒軸方向に所定間隔を隔てて設け、対向する壁面には、与圧洗浄水の供給源に接続される入水口３４を設け、
弁体３２には、入水口３４を、第１〜第３出水口３３Ａ〜３３Ｃに選択的に導通させる為の通水溝が夫々の外周面に設けられて摺接面３１ａに摺接する、第１〜第３摺接ドラム３２Ａ〜３２Ｃを設けたことを特徴とする請求項１又は２記載の衛生洗浄装置。
【請求項４】
摺接ドラム３２Ａに設けた通水溝ｅ１，ｅ２は、その横断面積が次第に増大又は減少するように形成したことを特徴とする請求項３記載の衛生洗浄装置。
【請求項５】
チューブ状の第１送水口１２を、固定シリンダ１の後端面に貫通状に固着し、その先端側を、可動シリンダ２の後端面に設けた貫通孔１３に水密状態で遊嵌させたことを特徴とする請求項１乃至４のいずれかに記載の衛生洗浄装置。
【発明の詳細な説明】
【０００１】
【発明の属する技術分野】
本発明は、２つの洗浄水噴射孔を先端に設けたピストン状のノズル筒を、ばね力により後退付勢状態でシリンダ内に収め、シリンダ内に流入させた与圧洗浄水により、ノズル筒を前進させる型式の、便器に組付けて用いる衛生洗浄装置に関する。
【０００２】
【従来の技術】
上記の構成を備えた衛生洗浄装置の一例が、「実公平３−１２８５７」に開示されている。
この先願装置は、ノズル筒の前進時に、シリンダ内に供給した与圧洗浄水が、ノズル筒とシリンダの先端部との隙間から前方に吹き出て、ノズル筒の先端部分の汚れを洗い落とすようになっている。
又、これとは別の、先行技術のものは、ノズル筒の前進用と、洗浄水の流路切換用の２つのモータを用いている。
更に、「実公昭６３−８６０」に開示された洗浄装置は、シリンダ内に流入させる与圧水の水圧を切換えることによって、ノズル筒の先端を、主洗浄とビデ洗浄との２つの位置に選択的に進出させるようにしている。
この洗浄装置は、又、シリンダの周壁に乾燥用温風と洗浄水の各供給口を設け、一方、ノズル筒の周壁には夫々の流入口を設け、ノズル筒の進出位置の如何に応じて、ノズル筒の先端部から洗浄水又は温風が選択的に噴出するようになっている。
【０００３】
【発明が解決しようとする課題】
然しながら、「実公平３−１２８５７」の装置は、ノズル筒の前進時に、その洗浄用水が思わぬ方向に吹き出て不始末を招くことも起こり得る。又、ノズルの前進途中で、洗浄用水の一部が噴射孔からも噴き出す不都合が生ずる可能性もある。
そして、２つのモータを使うものは、製作と保守に余分の手間と経費が嵩むことになる。
更に、「実公昭６３−８６０」のものは、洗浄水の流路切換用と水圧切換用の２つの弁機構を要するので、装置が複雑になる。
或は、噴射孔からの噴水量乃至は噴射圧の調節をより簡易に行えるようにすることも望ましい。
【０００４】
そこで本発明の目的は、ノズル筒の洗浄時に与圧水がシリンダとノズル筒との隙間から吹き出る不都合を生ぜず、又、装置の作動用モータや洗浄水の流路切換弁は１つで足り、且つ、噴射孔からの噴水量乃至は噴射圧も簡易に調節できるようにした、便器に組付けて用いる為の衛生洗浄装置を提供するにある。
【０００５】
【課題を解決するための手段】
上記の目的を達成する為の、本発明による衛生洗浄装置は、
先端に２つの噴射孔を設けたピストン状のノズル筒を、圧縮ばねにより後退させた状態でシリンダ内に収め、洗浄水の水圧によりノズル筒を使用位置に前進させるようにしたものであって、
固定シリンダ１に、第２圧縮ばね１８により後退付勢された可動シリンダ２を収め、該可動シリンダ２に、第１圧縮ばね１１により後退付勢されたノズル筒３を収めた構成を備えており、
ノズル筒３内の長手方向には、先端の第１噴射孔６及び第２噴射孔７に夫々連通する第１通水路４及び第２通水路５を設けると共に、外周面には、第１、第２通水路４，５に夫々導通する第１流入口９及び第２流入口１０を、筒軸方向に所定間隔を隔てて設け、第１、第２流入口９、１０に選択的に導通させる導水路を内周面に備えると共に、該導水路に連通する第２送水口２３を備えた給水用スリーブ２０を、ノズル筒３の外周面に水
密に摺接させ得る状態で固設し、
固定シリンダ１には、ノズル筒３の前進用の第１送水口１２及び可動シリンダ２の前進用の第３送水口１９を設け、
第１噴射孔６からの噴射時には、第１、第２送水口１２、２３に与圧洗浄水を供給し、第２噴射口７からの噴射時には、第１〜第３送水口１２，２３及び１９に夫々与圧洗浄水を供給する流路切替弁１０２、及びその制御部を設けたことを特徴とする。
そして、給水用スリーブ２０には、ノズル筒３の後退時に、第１、第２噴射孔６、７の上部を覆い得るカバー体２５を取着すると共に、可動シリンダ２に、ノズル筒３のクリーニング用の第４送水口１６を設け、
流路切替弁１０２は、ノズル筒３のクリーニング時に、第４送水口１６に供給した与圧洗浄水が、ノズル筒３の第１、第２流入口９、１０を経て、第１、第２噴射孔６，７から噴出するように構成したことも特徴とする。
又、流路切替弁１０２は、弁座となる円筒状の摺接面３１ａをその内壁面に設けたケーシング３１と、モータ３５により回動される円筒状の弁体３２とを備え、
摺接面３１ａを設けた側の壁面には、第１、第２送水口１２、２３と、第３送水口１９と、第４送水口１６とに夫々接続される、第１出水口３３Ａと、第２出水口３３Ｂと、第３出水口３３Ｃとを、筒軸方向に所定間隔を隔てて設け、対向する壁面には、与圧洗浄水の供給源に接続される入水口３４を設け、
弁体３２には、入水口３４を、第１〜第３出水口３３Ａ〜３３Ｃに選択的に導通させる為の通水溝が夫々の外周面に設けられて摺接面３１ａに摺接する、第１〜第３摺接ドラム３２Ａ〜３２Ｃを設けたことも特徴とする。
摺接ドラム３２Ａに設けた通水溝ｅ１，ｅ２は、その横断面積が次第に増大又は減少するように形成するとよい。
更に、チューブ状の第１送水口１２を、固定シリンダ１の後端面に貫通状に固着し、その先端側を、可動シリンダ２の後端面に設けた貫通孔１３に水密状態で遊嵌させたことも特徴とする。
【０００６】
【発明の実施の形態】
以下に、図面を参照しながら本発明の一実施例を説明する。
図１は、本発明の衛生洗浄装置１００（以下、単に装置と言う）の本体部分を、便器２００の上面後部に取付けた状態を示している。１０５は、装置１００の制御部である。
【０００７】
装置１００の全体構成を示した図２に於いて、１０１はノズル部で、固定シリンダ１内に組付けた可動シリンダ２には、ピストン状のノズル筒３を出没自在に収めている。
１０２は流路切換弁で、ノズル筒３の先端からの洗浄水の噴射モードを切換えると共に、ばねにより夫々後退付勢されている可動シリンダ２及びノズル筒３を前進させ、更には、ノズル筒３をクリーニングする洗浄水を供給する役割も果す。
１０３は温水タンクで、給水バルブ１０４を介して供給される与圧水道水を所望温度に加温する。
この温水は、流路切換弁１０２を介して、ノズル部１０１に供給される。
ノズル部１０１及び流路切換弁１０２の外観を、図３に側面図として、図４に上面視図として夫々示した。
【０００８】
次に、ノズル部１０１の具体的な構造を、図５〜図７を参照しながら説明する。
斜め横向きに配設された、所定長さのノズル筒３の内部には、その長手方向に第１通水路４と、第２通水路５とを設けている。
ノズル筒３の先端部上面には、第１通水路４に連なる第１噴射孔６と、第２通水路５に連なる第２噴射孔７とを、幾分かの距離を隔てて開口させている。第１，第２通水路４，５の基端（図の右端）側は封鎖されている。
【０００９】
ノズル筒３の基端には、可動シリンダ２の内壁面に摺接するピストン環８を突設している。
又、ノズル筒３の後部寄りの外周面には、第１通水路４及び第２通水路５に夫々連通する第１流入口９及び第２流入口１０を、筒軸方向に所定距離を隔てて開口させている。
更に、ノズル筒３の後部には、後述する第１送水口１２との干渉を避ける軸孔３ａを設けている。
【００１０】
その後部を可動シリンダ２内に遊嵌させたノズル筒３は、図５に示したように、可動シリンダ２の先端面とピストン環８との間に介在させた第１圧縮ばね１１によって後退付勢されている。
【００１１】
図６に示したように、可動シリンダ２の後端面２ａの真ん中には、チューブ状の第１送水口１２を遊嵌させる、貫通孔１３を設けている。１４は水密用パッキンである。
可動シリンダ２の周壁面部分には、逆止弁１５を内蔵する第４送水口１６を設けている。
又、可動シリンダ２の後端には、固定シリンダ１の内壁面に摺接するピストン環１７を突設している。
【００１２】
その後部を固定シリンダ１内に遊嵌させた可動シリンダ２は、図７に示したように、固定シリンダ１の先端面とピストン環１７との間に介在させた第２圧縮ばね１８によって後退付勢されている。
固定シリンダ１の後端面１ａには、可動シリンダ２を前進させる為の与圧洗浄水を供給する第３送水口１９を設けている。
又、チューブ状の第１送水口１２の基端側を、この後端面１ａに貫通状態で固着させている。
【００１３】
ノズル筒３には、図３〜図７に示したように、給水用スリーブ２０を外嵌状態で組付けている。
この給水用スリーブ２０は、第１流入口９又は第２流入口１０に選択的に与圧洗浄水を流入させる役割を果すもので、図３，４に示したように、装置１００の組付用フレーム２１の所定位置に、支持部材２２を介して固定されている。
【００１４】
図５〜図７に示したように、給水用スリーブ２０に設けた第２送水口２３は、後述するようにノズル筒３を前後動させると、スリーブの内周面に形成した導通路を介して、第１，第２流入口９，１０のいずれか一方に連通するようになっている。２４は水密用パッキンである。
【００１５】
給水用スリーブ２０の先端側には、図３〜図５に仮想線で示したように、カバー体２５を取着している。
このカバー体２５は、ノズル筒３の後退時に、その先端の第１，第２噴射孔６，７の上方に覆い被さる状態で組付けている。従って、組付用フレーム２１に取着しても勿論よい。
【００１６】
次に、流路切換弁１０２の構造を、図８〜図１０を参照しながら説明する。
ロータリー弁の形態を備えた流路切換弁１０２は、そのケーシング３１の内壁面に形成した円筒状の摺接面（弁座）３１ａに、モータ３５により回動される円柱状の弁体３２を当接させた構成を備えている。
【００１７】
図８，図１０に示したように、弁体３２の外周面には、軸方向の所定間隔を隔てた２箇所に、環状溝ｃを設けている。
これによって、弁体３２の外周面には、軸方向の所定間隔を隔てた３箇所に、摺接面３１ａに夫々摺接させる、第１摺接ドラム３２Ａ、第２摺接ドラム３２Ｂ及び第３摺接ドラム３２Ｃを形成させている。
【００１８】
そして、図９の（ａ）及び図８，図１０に示したように、第１摺接ドラム３２Ａの外周面には、その１箇所に、隣の環状溝ｃと導通する横溝（通水溝）ｄを軸方向に設けている。
更に、この横溝ｄの両側縁には、周方向に延びる所定長さのＶ形溝（通水溝）ｅ１，ｅ２を夫々先細り状に連設している。このＶ形溝の深さは、尖端側に向けて次第に浅くしている。
【００１９】
第２摺接ドラム３２Ｂの外周面には、図９の（ｂ）及び図８，図１０に示したように、その１箇所に、両隣の環状溝ｃと導通する横溝（通水溝）ｆを軸方向に設けている。更に、所定長さの縦溝（通水溝）ｇを、その一端が横溝ｆと連通する状態で周方向に設けている。
【００２０】
第３摺接ドラム３２Ｃの外周面には、図９の（ｃ）及び図１０に示したように、その１箇所に、隣の環状溝ｃと連通する横溝（通水溝）ｈを軸方向に設けている。
【００２１】
一方、ケーシング３１の壁面には、摺接面３１ａを設けた部分に、第１〜第３摺接ドラム３２Ａ〜３２Ｃの夫々の周方向に設けた上記の各溝と連通させ得る箇所に、第１出水口３３Ａ、第２出水口３３Ｂ及び第３出水口３３Ｃを設けている。
そして、摺接面３１ａと対向する側の壁面には、温水タンク１０３から延びる送水チューブ４１（図２参照）を接続させる入水口３４を設けている。
この入水口３４は、後述するように、弁体３２の回動位置の如何により、ポート３６、環状溝ｃ及び各摺接ドラム３２Ａ〜３２Ｃに設けた通水溝ｅ１，ｅ２，ｇ，ｈのいずれかを介して、第１〜第３出水口３３Ａ〜３３Ｃの各れかに連通される。
【００２２】
図２，図４に示したように、流路切換弁１０２の第１出水口３３Ａは、二股に別れた送水チューブ４２を介して第１送水口１２及び第２送水口２３に連通し、第２出水口３３Ｂは、送水チューブ４３を介して第３送水口１９に連通し、第３出水口３３Ｃは、チューブ４４を介して第４送水口１６に夫々連通している。
【００２３】
次に、装置１００の作用を、各作動モード別に説明する。
先ず、局部洗浄を行う前に、ノズル筒３の先端部分を洗浄するクリーニングモードに就いて、図１２を参照しながら説明する。
このモードでは、流路切換弁１０２の弁体３２は、モータ３５によって図示の位置に回動されている。
【００２４】
この状態では、図１２の（ａ），（ｂ）に示したように、第１，第２出水口３３Ａ，３３Ｂは、第１，第２摺接ドラム３２Ａ，３２Ｂによって、入水口３４との連通を断たれている。
その為、ノズル筒３及び可動シリンダ２は、夫々第１，第２圧縮ばね１１，１８により、後退位置（図５参照）に保持されている。
【００２５】
一方、図１２の（ｃ）に示したように、第３摺接ドラム３２Ｃの横溝ｈが、入水口３４と第３出水口３３Ｃとを連通させている。
その為、図４，５及び図１１に示したように、送水チューブ４４を経て第４送水口１６に流入し、逆止弁１５を押しのけながら可動シリンダ２の内空部ａに流入した与圧洗浄水は、ノズル筒３に設けた第１，第２流入口９，１０に流入したうえ、第１，第２通水路４，５をたどって、その末端の第１，第２噴射孔６，７から上向きに噴出する。
【００２６】
この噴出水は、上方に設けられたカバー体２５に衝突して下向きに跳ね返される。これによって、ノズル筒３の先端部分が汚れている場合には、この汚れを確実に洗い落とすことができる。
【００２７】
次に、ノズル筒３を前進させ、第１噴射孔６から与圧洗浄水を噴射して、肛門周りを洗浄する主洗浄モードに就いて、ノズル筒３を進出させる段階の作用を、図１３を参照しながら説明する。
この段階では、弁体３２は、モータ３５によって、図示の位置に右廻りに回動されている。
この状態では、図１３の（ｂ）及び（ｃ）に示したように、第２摺接ドラム３２Ｂ及び第３摺接ドラム３２Ｃは、第２出水口３３Ｂ及び第３出水口３３Ｃを、入水口３４に導通させない位置を占めている。
その為、可動シリンダ２の前進用の第３送水口１９、及びノズル筒３の洗浄用の第４送水口１６には与圧洗浄水は供給されない。
【００２８】
一方、第１摺接ドラム３３Ａは、図１３の（ａ）に示したように、その外周面に設けたＶ形溝ｅ２の狭まった尖端側が、第１出水口３３Ａと入水口３４とを導通させている。
その為、図４，６から理解されるように、二股に別れたチューブ４２の一方の分岐端が接続された第１送水口１２から、可動シリンダ２の内空部ａに与圧洗浄水が流入し、ノズル筒３は、その水圧により第１圧縮ばね１１の付勢力に抗して、主洗浄位置に向けて前進し始める。
【００２９】
この前進段階では、二股に別れたチューブ４２の他方の分岐端が接続された第２送水口２３にも送水されるが、図５から理解されるように、この送水口２３は、ノズル筒３の外周面によって封鎖されている。
その為、ノズル筒３の進出途中に、第１，第２噴射孔６，７から与圧洗浄水が噴き出てしまう不都合が生ずる恐れは全くない。
【００３０】
そして、ノズル筒３が略前進し終えると、図６に示したように、第２送水口２３がノズル筒３の第１流入口９に連通した状態になる。
その為、主洗浄モードでの噴射洗浄が穏やかに開始される。
【００３１】
次に、主洗浄モードのもとで、強い噴射洗浄が行われる状態に就いて、図１４を参照しながら説明する。
弁体３２を、図１３の状態から更に右廻りに回動させて行くと、図１４の（ａ）に示したように、第１出水口３３Ａは、Ｖ形溝ｅ２の狭まった尖端側との対向状態から、次第に拡開端側と対向する状態に移行して行く。
従って、第１噴射孔６からの洗浄水の噴射は、次第に最大噴射状態に移行する。
【００３２】
次に、前述のクリーニングモードを経た後に、ビデ洗浄モードに移行する為の予備段階として、可動シリンダ２を前進させるビデ進出モードの作用を図１５を参照しながら説明する。
このモードでは、弁体３２は、モータ３５によって左回りに図示の位置に回動されている。
【００３３】
この状態では、図１５の（ａ）に示したように、第１摺接ドラム３２Ａは、第１出水口３３Ａと入水口３４との導通を断つ回動位置を占めるので、第１，第２送水口１２，２３には送水されない。従って、ノズル筒３は前進せず、又、第１，第２噴射孔６，７から洗浄水が噴出する恐れはない。
又、第３摺接ドラム３２Ｃは、図１５の（ｃ）に示したように、第３出水口３３Ｃと入水口３４との導通を断つ位置に回動されているので、ノズル筒３の洗浄用の第４送水口１６には、与圧洗浄水は供給されない。
【００３４】
一方、第２摺接ドラム３２Ｂが、図１５の（ｂ）に示したように、第２出水口３３Ｂと入水口３４とを導通させる。
これによって、送水チューブ４３を介して第３送水口１９に供給された与圧洗浄水が、可動シリンダ２を、後退付勢用の第２圧縮ばね１８の付勢力にに抗して前進させる。
【００３５】
次に、ビデ進出モードに続くビデ洗浄モードの作用を、その開始段階に就いて、図１６を参照しながら説明する。
この段階では、弁体３２は、モータ３５によって、更に左回りに回動されて図示の状態にある。
この時、第３摺接ドラム３２Ｃは、図１６の（ｃ）に示したように、第３出水口３３Ｃと入水口３４との導通を防いでいるので、ノズル筒３の洗浄用の第４送水口１６には給水されない。
【００３６】
一方、図１６の（ａ）に示したように、第１摺接ドラム３２ＡのＶ形溝ｅ１の狭まった尖端側が、第１出水口３３Ａと入水口３４とを導通させた状態になり、前述の如く、第１，第２送水口１２，２３に与圧洗浄水が送水される。
それに伴って、ノズル筒３が前進を開始する。然し、この進出途中の段階では、ノズル筒３の外周面の第２流入口１０は、第２送水口２３に連通していないので、第２噴射孔７に不用意に与圧洗浄水が供給されることはない。
【００３７】
ノズル筒３が略前進し終えて、第２流入口１０が第２送水口２３と連通する位置に達すると、第２噴射孔７から与圧洗浄水が穏やかに噴射され始める。
このモードでは、図１６の（ｂ）の如く、第２摺接ドラム３２Ｂが第２出水口３３Ｂを入水口３４に導通させているので、可動シリンダ２は、前モードに引き続き前進位置に保持される。
【００３８】
弁体３２が、モータ３５によって更に左廻りに回動されて、ノズル筒３が進出し終えると、弁体３２は図１７に示した回動状態になる。
図１７の（ｃ）に示したように、第３摺接ドラム３２Ｃは、ノズル筒３の洗浄用の第４送水口１６への送水を前モードに引き続いて遮断している。
又、図１７の（ｂ）に示したように、第２摺接ドラム３２Ｂは、前モードに引き続いて、第３送水口１９への送水位置を占めており、可動シリンダ２は前進位置に保持される。
【００３９】
一方、第１摺接ドラム３２Ａは、図１７の（ａ）に示したように、Ｖ形溝ｅ１の拡開側端が、第１出水口３３Ａに臨む位置に迄回動されているので、この時、第２噴射孔７からは、最も強く与圧洗浄水が噴射されて、強ビデ洗浄モードとなる。
【００４０】
前記各洗浄モードを終了する時は、モータ３５によって弁体３２を左又は右廻りに図１２の位置に回動させる。
これにより、第１，第２摺接ドラム３２Ａ，３２Ｂが、図１２の（ａ），（ｂ）に示すように、第１，第２出水口３３Ａ，３３Ｂと入水口３４との導通を断つので、ノズル筒３及び可動シリンダ２は、圧縮ばね１１，１８の付勢力により、図５に示す状態に後退する。
【００４１】
又、第３摺接ドラム３２Ｃの横溝ｈが入水口３４と第３出水口３３Ｃとを連通させるので、送水チューブ４４を経て第４送水口１６に流入し、逆止弁１５を押し退けながら可動シリンダ２の内空部ａに流入した与圧洗浄水は、ノズル筒３に設けた第１，第２流入口９，１０から第１，第２通水路４，５に流入し、各末端の第１，第２噴射孔６，７から上向きに噴出する。
この噴出水は、カバー体２５に衝突して跳ね返り、ノズル筒３の先端部分を洗浄して次回の洗浄モードに備える。
【００４２】
【発明の効果】
以上の説明によって明らかなように、本発明による衛生洗浄装置は、以下に列挙した如き実用上の優れた効果を奏する。
（ａ）  ノズル筒が後退している状態で、ノズル筒の先端部分に設けた洗浄水噴射孔から与圧洗浄水を噴射させ、カバーに衝突して跳ね返った洗浄水により、ノズル筒の先端部分を洗浄するようにしたので、従来技術のように、ノズル筒の前進時に、ノズル筒の先端部分を洗浄する洗浄水が思わぬ方向に飛散して不始末を招くことを確実に防ぐことができる。
（ｂ）  又、ノズル筒の前進中に、噴射孔から洗浄水が噴出してしまう恐れも無くなる。
（ｃ）  ノズル筒の前進動と、２つの噴射孔からの温水の選択的噴出と、更には、ノズル筒の洗浄水の噴射とを、１個のモータで制御できるので、その分、安価に提供できると共に、保守の手間も省ける。
（ｄ）  弁体の摺接ドラムに設ける通水溝の形状選定の仕方によって、洗浄水の噴射量を簡易に調節できる。
【図面の簡単な説明】
【図１】本発明の一実施例を示すもので、衛生洗浄装置を取付けた便器の斜視図である。
【図２】同上、衛生洗浄装置の全体構成を示す模式図である。
【図３】同上、ノズル部及び流路切替弁の側面図である。
【図４】同上、図３の上面視図である。
【図５】同上、ノズル筒及び可動シリンダを後退させた状態で示すノズル部の横断面図である。
【図６】同上、ノズル筒を前進させた状態で示すノズル部の横断面図である。
【図７】同上、ノズル筒及び可動シリンダを前進させた状態で示すノズル部の横断面図である。
【図８】同上、流路切換弁の縦断面図である。
【図９】同上、図８のＶ−Ｖ線、Ｗ−Ｗ線及びＸ−Ｘ線に夫々対応した箇所で示す、弁体の各縦断面図である。
【図１０】同上、弁体の斜視図である。
【図１１】同上、第４送水口の近傍に於けるノズル部の拡大横断面図である。
【図１２】同上、ノズル筒のクリーニングモードでの、流路切換弁の作動説明図である。
【図１３】同上、主洗浄モードが進行し始めた段階での、流路切換弁の作動説明図である。
【図１４】同上、主洗浄モードに移行し終えた段階での、流路切換弁の作動説明図である。
【図１５】同上、可動シリンダを前進させるビデ進出モードでの、流路切換弁の作動説明図である。
【図１６】同上、ビデ洗浄モードに移行し始めた段階での、流路切換弁の作動説明図である。
【図１７】同上、ビデ浄モードに移行し終えた段階での、流路切換弁の作動説明図である。
【符号の説明】
１００  装置（衛生洗浄装置）
１０１  ノズル部
１０２  流路切換弁
１０３  温水タンク
１０４  給水バルブ
１０５  制御部
２００  便器
１  固定シリンダ
１ａ  後端面
２  可動シリンダ
２ａ  後端面
３  ノズル筒
４  第１通水路
５  第２通水路
６  第１噴射孔
７  第２噴射孔
８  ピストン環
９  第１流入口
１０  第２流入口
１１  第１圧縮ばね
１２  第１送水口
１３  貫通孔
１４  パッキン
１５  逆止弁
１６  第４送水口
１７  ピストン環
１８  第２圧縮ばね
１９  第３送水口
２０  給水用スリーブ
２１  組付用フレーム
２２  支持部材
２３  第２送水口
２４  パッキン
２５  カバー体
３１  ケーシング
３１ａ  摺接面
３２  弁体
３２Ａ  第１摺接ドラム
３２Ｂ  第２摺接ドラム
３２Ｃ  第３摺接ドラム
３３Ａ  第１出水口
３３Ｂ  第２出水口
３３Ｃ  第３出水口
３４  入水口
３５  モータ
３６  ポート
４１〜４４  送水チューブ
ａ，ｂ  内空部
ｃ  環状溝
ｄ，ｆ，ｈ  横溝（通水溝）
ｅ１，ｅ２  Ｖ形溝（通水溝）
ｇ  縦溝（通水溝）
【図１】
0003583232.tif 000002
【図２】
0003583232.tif 000003
【図３】
0003583232.tif 000004
【図４】
0003583232.tif 000005
【図５】
0003583232.tif 000006
【図６】
0003583232.tif 000007
【図７】
0003583232.tif 000008
【図８】
0003583232.tif 000009
【図９】
0003583232.tif 000010
【図１０】
0003583232.tif 000011
【図１１】
0003583232.tif 000012
【図１２】
0003583232.tif 000013
【図１３】
0003583232.tif 000014
【図１４】
0003583232.tif 000015
【図１５】
0003583232.tif 000016
【図１６】
0003583232.tif 000017
【図１７】
0003583232.tif 000018